(57)【要約】【課題】受体の挿入口から非給電側ランプピンをスムーズに抜き外すことができ、受体の破損も防止できるソケットを提供する。【解決手段】ソケットは、ソケット本体、受体31およびスプリングを備える。ソケット本体は、開口部を有する。受体31は、ソケット本体の開口部に配置する。受体31は、直管形ランプの先端に楕円部を有する非給電側のランプピンが挿入される楕円形状の挿入口49が設けられた受面部47、および受面部47の裏側で挿入口49の縁部に挿入口49に向かって傾斜する傾斜面58を有する。スプリングは、受体31をソケット本体の外側へ向けて付勢する。【選択図】図１
2015185383.tif 000002
【特許請求の範囲】
【請求項１】
開口部を有するソケット本体と；
直管形ランプの先端に楕円部を有する非給電側のランプピンが挿入される楕円形状の挿入口が設けられた受面部、およびこの受面部の裏側で前記挿入口の縁部に前記挿入口に向かって傾斜する傾斜面を有し、前記ソケット本体の前記開口部に配置される受体と；
前記受体を前記ソケット本体の外側へ向けて付勢する付勢手段と；
を具備することを特徴とするソケット。
【請求項２】
前記受体の前記受面部の裏側で前記挿入口の長手方向に対して交差する方向の側部に配置され、前記挿入口に挿入されて所定の装着回転位置に回転される前記ランプピンの前記楕円部が接触する受板を具備し、
前記受体は、前記受面部の裏側で前記挿入口の周辺に設けられる壁部を有し、この壁部には前記挿入口の長手方向に対して交差する方向の側部に前記受板が配置される連通部が設けられている
ことを特徴とする請求項１記載のソケット。
【請求項３】
前記傾斜面は、前記連通部の領域に形成されている
ことを特徴とする請求項２記載のソケット。
【請求項４】
器具本体と；
前記器具本体に配設された請求項１ないし３いずれか一記載のソケットと；
前記器具本体に配設され、前記直管形ランプの給電側のランプピンが装着される給電側のソケットと；
を具備することを特徴とする照明器具。
【発明の詳細な説明】
【技術分野】
【０００１】
本発明の実施形態は、直管形ランプの先端に楕円部を有する非給電側ランプピンを装着するソケット、およびこのソケットを用いた照明器具に関する。
【背景技術】
【０００２】
従来、日本照明工業会規格ＪＥＬ８０１「Ｌ形ピン口金GX16t-5付直管形ＬＥＤランプシステム（一般照明用）」に準拠した直管形ランプがある。この直管形ランプは、一端側に一対のＬ形のランプピンを突設した給電側の口金を有するとともに、他端側に先端に楕円部を有するランプピンを突設した非給電側の口金を有している。そして、この直管形ランプに対応して、直管形ランプの給電側の口金を装着する給電側のソケット、および直管形ランプの非給電側の口金を装着する非給電側のソケットが用いられている。
【０００３】
非給電側のソケットは、ソケット本体に移動可能かつソケット本体から突出する方向に付勢されて配置される受体を備え、この受体に楕円形状の挿入口が形成されているとともに受体内に受板が配置されている。そして、ランプピンの楕円部を挿入口に挿入し、所定の装着回転位置まで９０°回転させることにより、受体の楕円部が受板に接触して保持される。
【０００４】
そして、直管形ランプを給電側のソケットと非給電側のソケットとの間に装着する際には、まず、非給電側のランプピンを非給電側のソケットの挿入口に挿入して押し込んだ状態で、給電側のランプピンを給電側のソケットに挿入し、直管形ランプを９０°回転させて装着する。また、直管形ランプを給電側のソケットと非給電側のソケットとの間から取り外す際は、装着時とは逆に、直管形ランプを９０°回転させた後、給電側のランプピンを給電側のソケットから外し、非給電側のランプピンを非給電側のソケットの挿入口から抜き外す。
【先行技術文献】
【特許文献】
【０００５】
【特許文献１】特開２０１２−１８２０３３号公報
【発明の概要】
【発明が解決しようとする課題】
【０００６】
しかしながら、非給電側のランプピンを非給電側のソケットの挿入口から抜き外す際、ランプピンの楕円部の位置が挿入口の位置からずれていると、ランプピンの楕円部が挿入口から抜けずに受体の裏面側に引っ掛かり、ランプピンを挿入口からスムーズに抜き外すことができなかったり、ランプピンの楕円部が引っ掛かった受体に無理な力が加わって破損する虞がある。
【０００７】
本発明が解決しようとする課題は、受体の挿入口から非給電側のランプピンをスムーズに抜き外すことができ、受体の破損も防止できるソケットおよび照明器具を提供することである。
【課題を解決するための手段】
【０００８】
実施形態のソケットは、ソケット本体、受体および付勢手段を備える。ソケット本体は、開口部を有する。受体は、ソケット本体の開口部に配置する。受体は、直管形ランプの先端に楕円部を有する非給電側のランプピンが挿入される楕円形状の挿入口が設けられた受面部、および受面部の裏側で挿入口の縁部に挿入口に向かって傾斜する傾斜面を有する。付勢手段は、受体をソケット本体の外側へ向けて付勢する。
【発明の効果】
【０００９】
本発明によれば、受体の挿入口からランプピンの楕円部をスムーズに抜き外すことができ、受体の破損も防止されることが期待できる。
【図面の簡単な説明】
【００１０】
【図１】一実施形態を示すソケットの受体の背面図である。
【図２】同上ソケットの断面図である。
【図３】同上ソケットの分解状態の斜視図である。
【図４】同上ソケットおよび直管形ランプの斜視図である。
【図５】同上直管形ランプの斜視図である。
【図６】同上ソケットを用いた照明器具の斜視図である。
【発明を実施するための形態】
【００１１】
以下、一実施形態を、図１ないし図６を参照して説明する。
【００１２】
図６において、照明器具10は、直管形ランプ11を使用する例えば防水形照明器具である。この照明器具10は、器具本体12、この器具本体12の両端に互いに対向して配置された一対のソケット13，14を備えている。一端のソケット13は給電側であり、他端のソケット14はアース接続に使用可能な非給電側である。また、器具本体12内には電源装置15が配置されている。電源装置15は、交流電力を所定の直流電力に変換し、その直流電力を給電側のソケット13を通じて直管形ランプ11に供給する。
【００１３】
そして、図５には、直管形ランプ11を示す。直管形ランプ11は、円筒状のカバー20、このカバー20内に収容された発光モジュール21、およびカバー20の両端部にそれぞれ設けられた口金22，23を備えている。
【００１４】
発光モジュール21は、例えばＬＥＤ素子やＥＬ素子などの複数の発光素子24、および複数の発光素子24が実装された基板25を備えている。
【００１５】
直管形ランプ11の口金22は発光モジュール21に電源装置15から直流電力を供給する給電側であり、口金23は非給電側である。これら口金22，23は、日本照明工業会規格ＪＥＬ８０１「Ｌ形ピン口金GX16t-5付直管形ＬＥＤランプシステム（一般照明用）」に準拠する。給電側の口金22の端面には、互いに反対方向に向けて折曲された一対のＬ字形のランプピン27が突設されている。一対のランプピン27と発光モジュール21とが電気的に接続されている。また、非給電側の口金23の端面には、その端面の管軸中心から１本のランプピン28が突出されている。このランプピン28は、円柱状の軸部28a、この軸部28aの先端にこの軸部28aの外径より大きいとともにランプ長手方向に対して直交する方向に長い楕円部28bが設けられている。
【００１６】
なお、直管形ランプ11は、一対のランプピン27が並ぶ方向とランプピン28の楕円部28bの長手方向とが一致されているとともに、これらの方向に対して直交する方向を主体して発光モジュール21からの光を出射するように構成されている。
【００１７】
また、図２ないし図４には、直管形ランプ11の非給電側の口金23を接続する非給電側のソケット14を示す。ソケット14は、直管形ランプ11のランプピン28を挿入し、直管形ランプ11の管軸を中心として所定の装着回転位置に９０°回転させることにより、直管形ランプ11の口金23を装着するように構成されている。なお、直管形ランプ11を接続する側をソケット14の前側とし、この前側に対して反対側をソケット14の後側として説明する。
【００１８】
ソケット14は、器具本体12に取り付けられるソケット本体30、このソケット本体30に前後方向に移動可能に配置される受体31、この受体31をソケット本体30に取り付ける取付体32、受体31に配置された受板33、および受体31をソケット本体30から突出する前方に付勢する付勢手段としてのスプリング34を備えている。さらに、ソケット14は、ソケット本体30との間に直管形ランプ11の端部を密閉して防水する防水筒35（図６参照）を備えている。
【００１９】
ソケット本体30は、絶縁性を有する合成樹脂製である。ソケット本体30は、器具本体12に取り付けられる本体部36、および本体部36の前面から突出する円筒状の取付部37が形成されている。取付部37の内側に、受体31、取付体32、受板33およびスプリング34をソケット本体30に配置するための開口部38が形成されている。取付部37には、開口部38に嵌合された取付体32を係止する複数の係止孔39が形成されている。取付部37の外周面には、防水筒35を螺合して取り付けるためのねじ40が形成されているとともに、環状のパッキング受部41が形成されている。防水筒35とパッキング受部41との間には、例えばＯリング等の環状のパッキング42が配置される。また、ソケット本体30の内周面には、開口部38への取付体32の挿入位置を位置決め複数の位置決め部43等が突設されている。ソケット本体30の内部後面には、スプリング34の後端を取り付けるスプリング受44が突設されているとともに、スプリング34の周囲を覆うスプリングカバー45が突設されている。
【００２０】
受体31は、絶縁性を有する合成樹脂製である。受体31は、円板状の受面部47、およびこの受面部47の周辺に設けられた円筒状の筒部48を有している。受面部47の中央には、非給電側のランプピン28の楕円部28bが挿入される楕円形状の挿入口49が形成されている。筒部48の外周面の後端には取付体32に係合するフランジ部50が突設されているとともに複数の係止爪51が突設されている。筒部48の外周面には、取付体32に対して前後方向にスライド可能に嵌合するガイド突部52が突設されている。
【００２１】
図１に示すように、受体31の内側において、受面部47の裏面で挿入口49の周辺に壁部53が突設されている。壁部53には、挿入口49の長手方向に対して交差する一側に向けて開口して受板33が配置される連通部54が形成されている。壁部53は、挿入口49の長手方向の両端から連通部54とは反対側となる挿入口49の長手方向に対して交差する他側に亘って挿入口49の縁に連続して形成されている。さらに、壁部53は、ランプピン28が挿入口49に挿入された状態で、そのランプピン28の楕円部28bの周囲に配置される高さに突出されている。また、壁部53には、連通部54とは反対側となる挿入口49の長手方向に対して交差する他側の中央に、挿入口49に挿入されるとともに装着回転位置に９０°回転されたランプピン28の楕円部28bの長手方向の端部が嵌り込む窪み部55が形成されている。窪み部55の位置に対応して挿入口49の縁に楕円部28bが引っ掛かり可能とする引掛り部56が形成されている。
【００２２】
受面部47の前側で、挿入口49の周縁部に、挿入口49に向かって傾斜する挿入ガイド面57が形成されている。また、受面部47の裏側で、挿入口49の縁部であって連通部54の領域に、挿入口49に向かって傾斜する傾斜面58が形成されている。傾斜面58は、受板33（後述する接触部71）の位置よりも挿入口49とは反対側の領域まで形成されている。したがって、連通部54の領域における挿入口49の縁部では、挿入口49の前後方向の中央に向かって傾斜するように挿入ガイド面57および傾斜面58が形成されている。
【００２３】
受面部47の裏面には、受板33の長手方向の両端を保持する保持部59が形成され、受板33の中間部の前後方向の位置を保持するとともに受板33の中間部が挿入口49から離反する方向に移動するのを押える押え部60が形成されている。さらに、受面部47の裏面には、スプリング34の前端を保持するスプリング受61が突設されているとともに、スプリング34の周囲を覆うスプリングカバー62が突設されている。スプリングカバー62はソケット本体30のスプリングカバー45の内側に配置され、ソケット本体30に対する受体31の前後方向の移動に支障が生じないようにしている。
【００２４】
また、取付体32は、絶縁性を有する合成樹脂製で、前後に開口して内側に受体31を嵌合可能とするリング状に形成されている。取付体32の前面に受体31の前側が突出する挿通口64が形成され、この挿通口64の内周側には、受体31のフランジ部50との当接によって受体31の前方への移動を規制するストッパ65が突設されている。取付体32の後端には、受体31の係止爪51が前後方向にスライド可能に嵌り込むとともに係止爪51との当接によって受体31の前方への移動を規制する複数の溝部66が形成されている。また、取付体32の外周面には、取付体32がソケット本体30の開口部38に嵌合された状態で各係止孔39にそれぞれ係止する複数の突起67が突設されている。取付体32の内周面には、受体31の各ガイド突部52が前後方向にスライド可能に嵌合する複数のガイド溝部68が形成されている。
【００２５】
また、受板33は、金属製の板ばねによって形成されている。受板33の長手方向両端に、受体31の保持部59に取り付けられる略Ｌ字形の固定部70が形成されている。受板33の中間部には、挿入口49の一側に配置されてランプピン28の楕円部28bが接触する接触部71が形成されている。接触部71の中央には、挿入口49に挿入されるとともに装着回転位置に９０°回転されたランプピン28の楕円部28bの長手方向の端部が嵌り込む窪み部72が形成されている。受板33は、ランプピン28が挿入口49に挿入された状態で、そのランプピン28の楕円部28bの周囲に対向する位置に配置されている。受板33の窪み部72は、壁部53の窪み部55に対向され、壁部53の窪み部55との間で装着回転位置に９０°回転されたランプピン28の楕円部28bを長手方向から挟み込んで保持するように構成されている。
【００２６】
また、スプリング34は、一対のコイルスプリングが用いられている。
【００２７】
なお、ランプピン28をアース接続する場合には、受板33に電気的に接続された端子がソケット本体30内に配置され、ソケット本体30の外部からパッキングを介して挿入されるアース線が端子に電気的に接続される。
【００２８】
そうして、ソケット14の組立状態では、受体31とソケット本体30との間にスプリング34が介在され、受体31が取付体32によってソケット本体30に取り付けられている。
【００２９】
取付体32は、ソケット本体30の開口部38に嵌め込まれ、突起67が係止孔39に係止されてソケット本体30に固定されている。受体31のガイド突部52が取付体32のガイド溝部68に嵌合し、受体31がソケット本体30および取付体32に対して前後方向にのみ移動可能としている。さらに、受体31は、スプリング34によってソケット本体30から突出する前方へ向けて付勢され、フランジ部50および係止爪51が取付体32のストッパ65および溝部66の前端に当接した突出位置で係止されている。
【００３０】
なお、給電側のソケット13は、ソケット13の先端側に直管形ランプ11の給電側の一対のランプピン27を挿入する挿入口を有し、この挿入口から挿入された一対のランプピン27を装着回転位置に９０°回転させることにより、一対のランプピン27がソケット13内の一対の給電端子に電気的に接続されるように構成されている。
【００３１】
そして、直管形ランプ11を給電側のソケット13と非給電側のソケット14との間に装着する際には、まず、非給電側のランプピン28を非給電側のソケット14の挿入口49に挿入して受体31をソケット本体30側に押し込んだ状態で、給電側のランプピン27を給電側のソケット13に挿入し、これらソケット13，14間で直管形ランプ11を装着回転位置に９０°回転させて装着する。
【００３２】
また、直管形ランプ11を給電側のソケット13と非給電側のソケット14との間から取り外す際は、装着時とは逆に、直管形ランプ11を装着回転位置から９０°回転させた後、給電側のランプピン27を給電側のソケット13から外し、非給電側のランプピン28を非給電側のソケット14の挿入口49から抜き外す。
【００３３】
非給電側のランプピン28を非給電側のソケット14の挿入口49から抜き外すには、ランプピン28の楕円部28bの位置が挿入口49の位置と一致することにより抜き外すことができる。挿入口49の長手方向、および挿入口49の長手方向に対して交差する他側すなわち連通部54とは反対側には壁部53が設けられているため、ランプピン28の楕円部28bの長手方向の位置、および楕円部28bの長手方向に対して交差する他側すなわち連通部54とは反対側の位置は、壁部53によって規制される。しかし、挿入口49の一側である連通部54側には、受板33を配置するために壁部53が設けられていないため、ランプピン28の楕円部28bが連通部54側に位置ずれすることがある。ランプピン28の楕円部28bが挿入口49の位置よりも連通部54側に位置ずれしていると、挿入口49から抜き外そうとするランプピン28の楕円部28bが受面部47の裏面側に引っ掛かる虞がある。
【００３４】
本実施形態では、受面部47の裏側で、挿入口49の縁部であって連通部54の領域に、挿入口49に向かって傾斜する傾斜面58が形成されているため、挿入口49から抜き外そうとするランプピン28の楕円部28bが傾斜面58に接することになる。この傾斜面58により、挿入口49から抜き外そうとするランプピン28の楕円部28bを挿入口49内に導いて挿入口49から抜き外せるようにする。
【００３５】
このように、本実施形態のソケット14によれば、受体31の挿入口49から非給電側のランプピン28をスムーズに抜き外すことができ、受体31等の破損も防止できる。
【００３６】
また、挿入口49の周辺に壁部53が設けられている方向には壁部53でランプピン28の楕円部28bを位置決めできるため、この壁部53が設けられておらず、受板33が配置される連通部54の領域に対応して、挿入口49の縁部に傾斜面58を設ければ、その連通部54側に位置ずれしたランプピン28の楕円部28bを挿入口49に導くことができる。
【００３７】
なお、本実施形態は、防水形のソケットおよび照明器具に限らず、非防水形のソケットおよび照明器具にも適用できる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    照明器具
11    直管形ランプ
12    器具本体
13    （給電側の）ソケット
14    （非給電側の）ソケット
27    （給電側の）ランプピン
28    （非給電側の）ランプピン
28b   楕円部
30    ソケット本体
31    受体
33    受板
34    付勢手段としてのスプリング
38    開口部
47    受面部
49    挿入口
53    壁部
54    連通部
58    傾斜面
【図１】
2015185383.tif 000003
【図２】
2015185383.tif 000004
【図３】
2015185383.tif 000005
【図４】
2015185383.tif 000006
【図５】
2015185383.tif 000007
【図６】
2015185383.tif 000008